(57)【要約】【課題】ツーピース型ウエットスーツの上衣及びズボンの分割部分を、従来のようにこはぜ折りにしなくても、容易に接合でき、その分割部分の水密性を高めることができることを目的とする。【解決手段】ズボン５の上方の胴部７で裏側周囲に防水性を有する生地からなる第１帯状部分９を配置し、上衣３の裾１１の裏側周囲に防水性を有する生地からなる第２帯状部分１３を配置する。そして、着衣する者の体に近い側から第１帯状部分９、第２帯状部分１３、ズボン５の上方の胴部７、及び上衣３の裾１１の順に、互いに４重にサンドイッチ状に挟んだ状態にし、更に、互いに接する部分に設けられた脱着テープ（ベルクロテープ（登録商標））１５でずれを防止する。【選択図】図1
2005154910.tif 000002
【特許請求の範囲】
【請求項１】
ウエットスーツを構成する上衣及びズボンと、このズボンの上方の胴部で裏側周囲に配置され防水性を有する生地からなる第１帯状部分と、前記上衣の裾の裏側周囲に配置され防水性を有する生地からなる第２帯状部分と、着衣する者の体に近い側から第１帯状部分、第２帯状部分、ズボンの上方の胴部、及び上衣の裾の順に、互いに４重にサンドイッチ状に挟んだ状態で、前記第１帯状部分、前記第２帯状部分、前記ズボンの上方の胴部、及び前記上衣の裾の互いに接する部分に設けられ、ずれを防止する脱着テープと、を有することを特徴とするウエットスーツ。
【請求項２】
前記互いに接する部分に設けられた前記脱着テープの上下方向の長さは、着衣する者の伸長の変化を補える長さを有することを特徴とする請求項１に記載のウエットスーツ。
【請求項３】
前記第１及び第２帯状部分の防水性を有する生地は、前記上衣の生地と同じポリクロロプレン生地、もしくは同等の防水性、保温性を持つ伸縮可能な生地であり、このポリクロロプレン生地、もしくは同等の防水性、保温性を持つ伸縮可能な生地による前記サンドイッチ状の部分が着衣する者の腰椎部に位置するよう前記上衣及びズボンの上下寸法が設定されていることを特徴とする請求項１、又は２に記載のウエットスーツ。
【請求項４】
前記互いに接する部分に設けられた前記脱着テープの上に、前記ズボンの胴部を締める補助ベルトを配置し、この補助ベルトには前記脱着テープと接して機能する他の脱着テープが設けられていることを特徴とする請求項１、２、又は３に記載のウエットスーツ。
【請求項５】
前記第２帯状部分、又は前記上衣の裾に設けられる前記脱着テープは、背側にも設けられ、前記補助ベルトには、端部にも、前記背側の脱着テープと接して機能する他の脱着テープが設けられていることを特徴とする請求項１、２、３、又は４に記載のウエットスーツ。
【請求項６】
ウエットスーツの手首部分又は足首部分を分割した分割部分と、この分割部分の一方の裏側周囲に配置され防水性を有する生地からなる第１帯状部分と、前記分割部分の他方の裏側周囲に配置され防水性を有する生地からなる第２帯状部分と、前記分割部分の一方と、他方と、前記第１帯状部分、前記第２帯状部分とを互いに４重にサンドイッチ状に挟んだ状態で、互いに接する部分に設けられ、ずれを防止する脱着テープと、を有することを特徴とするウエットスーツ。
【発明の詳細な説明】
【技術分野】
【０００１】
この発明は、ウエットスーツに関し、特に、上衣とズボンの分割部分などの構造に関する。
【背景技術】
【０００２】
従来のウエットスーツの多くはワンピース型であり、着脱のために背中にジッパーが設けられ、このジッパーはウエットスーツの生地に比べて伸縮しないので前屈運動の際に破損したり、腰痛の発生の原因になっていた。
このような問題を解消できるツーピース型のウエットスーツが望まれるものの、現在提案されているツーピース型のもの（特許文献１）は図７に示す構造を有する。すなわち、上衣２１の裾及びズボン２３の上方の胴部に夫々折り曲げ代Ｌを設け（同図（あ））、両折り曲げ代Ｌを重ねて下方向に向けて二度折り返し（同図（い）（Ａ））、いわゆるこはぜ折りにして（同図（い）（Ｂ）（Ｃ））接合するものであった。
【特許文献１】実用新案登録第３００７３３４
【０００３】
しかし、こはぜ折りの作業は面倒であり、胴部の全周にわたって完全なこはぜ折りを短時間で施すには熟練が必要であり、着衣する者が一人で作業するには困難を伴うものであった。
この困難を解消するために、出願人は、既に、ウエットスーツを構成する上衣の裾の裏側周囲に防水性を有する生地からなる帯状部分を設け、上衣の裾と前記裾帯状部分との間にズボンの上方の胴部をサンドイッチ状に挟んだ状態で、脱着テープでとめる構造のするウエットスーツを、提案している（特許文献２）。
【特許文献２】特願２００３−１５７５７６
【発明の開示】
【発明が解決しようとする課題】
【０００４】
しかし、このサンドイッチ状の構造を有するウエットスーツは、必ずしも水密性があまり高くなく、海水などがウエットスーツ内に比較的入って来やすいという課題があった。
なお、このような課題は、このサンドイッチ状の構造を、ウエットスーツの手首部分又は足首部分を分割した分割部分に施した場合（前記特許文献２）にも、同様に存在する。
この発明は、サンドイッチ状の構造を改善して、水密性を高めることができるウエットスーツを提供することを目的とする。
【課題を解決するための手段】
【０００５】
以上の課題を解決するために、第一発明は、ウエットスーツを構成する上衣及びズボンと、このズボンの上方の胴部で裏側周囲に配置され防水性を有する生地からなる第１帯状部分と、前記上衣の裾の裏側周囲に配置され防水性を有する生地からなる第２帯状部分と、着衣する者の体に近い側から第１帯状部分、第２帯状部分、ズボンの上方の胴部、及び上衣の裾の順に、互いに４重にサンドイッチ状に挟んだ状態で、前記第１帯状部分、前記第２帯状部分、前記ズボンの上方の胴部、及び前記上衣の裾の互いに接する部分に設けられ、ずれを防止する脱着テープと、を有することを特徴とするウエットスーツである。
【０００６】
第二発明は、更に、前記互いに接する部分に設けられた前記脱着テープの上下方向の長さは、着衣する者の伸長の変化を補える長さを有することを特徴とするウエットスーツである。
【０００７】
第三発明は、更に、前記第１及び第２帯状部分の防水性を有する生地は、前記上衣の生地と同じポリクロロプレン生地、もしくは同等の防水性、保温性を持つ伸縮可能な生地であり、このポリクロロプレン生地、もしくは同等の防水性、保温性を持つ伸縮可能な生地による前記サンドイッチ状の部分が着衣する者の腰椎部に位置するよう前記上衣及びズボンの上下寸法が設定されていることを特徴とするウエットスーツである。
【０００８】
第四発明は、更に、前記互いに接する部分に設けられた前記脱着テープの上に、前記ズボンの胴部を締める補助ベルトを配置し、この補助ベルトには前記脱着テープと接して機能する他の脱着テープが設けられていることを特徴とするウエットスーツである。
【０００９】
第五発明は、更に、前記第２帯状部分、又は前記上衣の裾に設けられる前記脱着テープは、背側にも設けられ、前記補助ベルトには、端部に、前記背側の脱着テープと接して機能する他の脱着テープが設けられていることを特徴とするウエットスーツである。
【００１０】
第六発明は、ウエットスーツの手首部分又は足首部分を分割した分割部分と、この分割部分の一方の裏側周囲に配置され防水性を有する生地からなる第１帯状部分と、前記分割部分の他方の裏側周囲に配置され防水性を有する生地からなる第２帯状部分と、前記分割部分の一方と、他方と、前記第１帯状部分、前記第２帯状部分とを互いに４重にサンドイッチ状に挟んだ状態で、互いに接する部分に設けられ、ずれを防止する脱着テープと、を有することを特徴とするウエットスーツである。
【発明の効果】
【００１１】
以上説明したように、第一、第二、第三、第四、第五、又は第六発明によれば、従来のようにこはぜ折りにしなくても、ウエットスーツの上衣とズボンの間、あるいは分割部分を容易に接合でき、生地が５重になる部分も解消できる。
【００１２】
また、水の浸入ルートをたどると、特許文献１では、こはぜ折りの上下幅を１往復半するＳ字状になり、特許文献２ではサンドイッチ状の上下幅を往復するＶ字状になるが、この発明では、サンドイッチ状の上下幅を往復するＮ字状になり、特許文献２よりも水密に優れ、特許文献１とほぼ同等の水密を期待できる。
また第二、第三、又は第四発明によれば、さらに、上衣及びズボンの分割部分で着衣する者の伸長の変化を補える。
【００１３】
また第三、又は第四発明によれば、さらに、サンドイッチ状の部分を着衣する者の腰椎部に位置させることで、腰椎部の保温効果を高め、かつ補助ベルトによる腰椎部締め付け効果により腰痛予防を期待できる。
【００１４】
また第四発明によれば、さらに、ズボンの胴部を締める補助ベルトが脱着テープと機能して、水密性を高めると同時に、上衣とズボンのずれ防止を高め、補助ベルトとウエットスーツのずれを防止する。
【００１５】
また第五発明によれば、さらに、補助ベルトの端部に設けられている他の脱着テープを、上衣の裾、あるいは上衣の裾の第２帯状部分で背側に設けられる脱着テープに接して機能（固定）させ、そして、着衣者が補助ベルトの他の端部を手に持って肩越しに上方へ引っ張ることで、一般に困難なウエットスーツの上衣の脱衣を、一人で容易に行える。  
【発明を実施するための最良の形態】
【００１６】
この発明の実施の形態を、図１〜図５に示す。
図１（Ａ）に示すように、この実施形態においては、この発明が実施される分割部分は、ツーピース型のウエットスーツ１を構成する上衣３とズボン５との間の分割部分Ｂである。ウエットスーツ１は、当然ながら防水性を有する生地からなる。
【００１７】
図１（Ｂ）に示すように、分割部分Ｂにおいて、ズボン５の上方の胴部７で裏側周囲に、同様に防水性を有する生地からなる第１帯状部分９が配置される。また、上衣３の裾１１の裏側周囲に、防水性を有する生地からなる第２帯状部分１３が配置される。第１、第２帯状部分９，１３の上下の幅は例えば２０〜２５ｃｍ程度である。第１帯状部分９の下縁、あるいは第２帯状部分１３の上縁は、接着や溶着などで水密的にズボン５、あるいは上衣３の裏側周囲に固着される。この固着部分は各帯状部分の縁の全周に設けられる。また、固着ではなく、ズボン５あるいは上衣３と、一体的に製造されるものでもよい。
【００１８】
着衣時には、着衣する者の体に近い側から第１帯状部分９、第２帯状部分１３、ズボン５の上方の胴部７、及び上衣３の裾１１の順に、互いに４重にサンドイッチ状に挟んだ状態となる。この状態で、互いに接する部分に、脱着テープとしてのベルクロテープ（登録商標）１５が設けられる。すなわち、第１帯状部分９の表側、ズボン５の上方の胴部７の表側と裏側、第２帯状部分１３の表側と裏側、上衣３の裾１１の裏側に、ずれを防止するベルクロテープ（登録商標）１５が互いに接するように設けられる。
なお、上衣３の裾１１とズボン５の上方の胴部７は、従来のものの寸法よりも５〜７ｃｍ程度狭くし、タイトにすることが望ましい。
【００１９】
ベルクロテープ（登録商標）１５は、脱着テープの一種で、パイル状の布（メス側）と硬い鉤針状の糸が出ている布（オス側）からなり、両布を手で押さえて固定でき、マジックテープとも呼ばれている。
帯状部分の防水性を有する生地は、上衣３の生地と同じポリクロロプレン生地、もしくは同等の防水性、保温性を持つ伸縮可能な生地であり、このポリクロロプレン生地、もしくは同等の防水性、保温性を持つ伸縮可能な生地によるサンドイッチ状の部分が、着衣する者の腰椎部に位置するように、上衣及びズボン５の上下寸法が設定されている。
【００２０】
このベルクロテープ（登録商標）１５は、周方向に５箇所程度設けられ、背側にも設けられる。そして、例えば各々幅は５ｃｍ、上下方向の長さは１２ｃｍとする。この寸法は任意に定められるが、着衣する者の伸長の変化を補える長さにすることが望ましい。
【００２１】
このベルクロテープ１５（登録商標）の上下方向の略中央に、ズボン５の胴部７を締める補助ベルト１９を配置する。この補助ベルト１９の表側には、上衣３の裾１１の裏側に設けられるベルクロテープ（登録商標）１５と接して固定できる他のベルクロテープ（登録商標）１５が設けられている。同様に、この補助ベルト１９の裏側には、ズボン５の上方の胴部７の表面に設けられるベルクロテープ（登録商標）１５と接して固定できる他のベルクロテープ（登録商標）が設けられている。このように補助ベルト１９の表裏に設けられるベルクロテープ（登録商標）は、また、補助ベルト１９自身の両端部を固定するのにも機能する。補助ベルト１９はある程度の弾性を有し、着衣する者が運動する際に、違和感を与えないようにする。
【００２２】
また、補助ベルト１９には端部にも連続してベルクロテープ（登録商標）が設けられ、上衣３の裾１１、あるいは第２帯状部分１３で、背側に設けられるベルクロテープ（登録商標）に接して固定させ、着衣者が補助ベルト１９の他の端部を手に持って肩越しに上方へ引っ張ることで、上衣３の脱衣を一人で容易に行える。
【００２３】
（着脱衣の方法）
以上のツーピース型のウエットスーツ１の着衣方法は、まず、ズボン５をはいて、上衣３を着る。そして、図２に示すように、ズボン５の上方の胴部７をめくり、裏側周囲に配置され第１帯状部分９の表側を露出させる。次に、図３に示すように、上衣３の裾１１をめくり、第２帯状部分１３の表側を露出させるとともに、この第２帯状部分１３を第１帯状部分９に被せる。その後に、この第２帯状部分１３にズボン５の上方の胴部７を深く被せる（図４）。ズボン５の胴部７に設けられたベルクロテープ（登録商標）１５の上下方向の略中央で、上から補助ベルト１９を締める（図４）。このとき補助ベルト１９の表裏に設けられるベルクロテープ（登録商標）によって、補助ベルト１９の両端が固定される。また、ズボン５の胴部７に設けられたベルクロテープ（登録商標）１５に、補助ベルト１９の裏に設けられるベルクロテープ（登録商標）が接して、しっかり固定される。
【００２４】
その上から、上衣３の裾１１を被せる（図１）。これにより、補助ベルト１９の表面のベルクロテープ（登録商標）１５、及びズボン５の胴部７に設けられたベルクロテープ（登録商標）１５の上下の残った端部が、上衣３の裾１１の裏側のベルクロテープ（登録商標）１５と接して固定される。このようにして上衣３とズボン５を４重にサンドイッチ状に挟んだ状態で接合する。
【００２５】
次に、一般に困難なウエットスーツ１の上衣３の脱衣を説明する。すなわち内部に水分を含んだ上衣３は、背中に張り付いて脱衣が容易ではない。通常は、誰かに上衣３の脱衣を手伝ってもらうのが一般である。しかし、この実施形態では容易に脱衣が出来る。
【００２６】
すなわち、図５に示すように、２本の補助ベルト１９の各々の端部に設けられているベルクロテープ（登録商標）を、上衣３の裾１１、及び第２帯状部分１３の背側に設けられるベルクロテープ（登録商標）で挟むように接して固定させる。そして、着衣者が２本の補助ベルト１９の他の端部を手に持って肩越しに上方へ引っ張る。これにより上衣３の背側は上方へ容易にめくれる。上衣３の前側は、着衣者の手で直接にめくる。このようにして上衣３の脱衣を一人で容易に行える。
【００２７】
（実施形態の作用効果）
このようにして上衣３とズボン５を接合することで、従来のようにこはぜ折りにしなくても容易に接合でき、生地が５重になる部分も解消できる。
【００２８】
また、従来の特許文献１のこはぜ折りの生地が５重になる部分（図７（う））において水の浸入ルートをたどると、中央のズボンの２重の内部は浸入ルートを形成しないので、結局、こはぜ折りの上下幅を１往復半するＳ字状になる。また、特許文献２ではサンドイッチ状の上下幅を往復するＶ字状になる。これに対し、この実施形態においては、サンドイッチ状の上下幅を往復するＮ字状になり（図１（Ａ）参照）、同じように浸入ルート内に水を閉じ込め、特許文献１とほぼ同等の水密を期待できる。
【００２９】
また、補助ベルト１９により、更なる水密を得られる。さらに、この補助ベルト１９がベルクロテープ（登録商標）１５と機能して、上衣３とズボン５のずれ防止を高め、補助ベルト１９とウエットスーツ１のずれを防止する。これにより激しい運動をしても、ずれを生じない。
【００３０】
また、ベルクロテープ（登録商標）１５の上下方向の長さを例えば１２ｃｍとして、十分な長さとし、着衣する者の伸長の変化を補える。
また、ポリクロロプレン生地、もしくは同等の防水性、保温性を持つ伸縮可能な生地によるサンドイッチ状の部分を、着衣する者の腰椎部に位置させることで、腰椎部１５の保温効果を高め、かつ補助ベルトによる腰椎部締め付け効果により腰痛予防を期待できる。
【００３１】
（他の実施形態）
以上の実施形態では、ベルクロテープ（登録商標）１５は、周方向に４箇所設けられるものであったが、他の実施形態では、５箇所以上、又は３箇所としても良い。
【００３２】
また、以上の実施形態では、４重のサンドイッチ状の部分に設けられベルクロテープ１５（登録商標）は、第１帯状部分９の表側、第２帯状部分１３の表側と裏側、ズボン５の上方の胴部７の表側と裏側、上衣３の裾１１の裏側の合計６面に設けられるものであったが、他の実施形態では５面以下とすることができる。例えば、第１帯状部分９の表側、第２帯状部分１３の裏側、ズボン５の上方の胴部７の表側、上衣３の裾１１の裏側の合計４面に設けられるものとすることもできる。
【００３３】
また、以上の実施形態では、上衣３は長袖上衣であり、ズボン５は長ズボンであったが、他の実施形態では、色々の組み合わせが可能である。例えば、図６に示すように、上衣３は、長袖上衣（同図（Ａ１））のほかに、半袖上衣（同図（Ａ２））、ノースリーブタイプのベスト型（同図（Ａ３））が可能であり、ズボン５は、長ズボン（同図（Ｂ１））のほかに半ズボン（同図（Ｂ２））が可能である。これらの種類の上衣３とズボン５を、任意に組み合わせることができる。
【００３４】
また、以上の実施形態では、発明が実施されるウエットスーツ１の分割部分は、ツーピース型のウエットスーツ１を構成する上衣３とズボン５との間の分割部分としたが、他の実施形態では、ウエットスーツ１の手首部分又は足首部分を分割した分割部分とすることができ、夫々、ダイビング用のグローブやブーツを容易に着脱できることになる。
【００３５】
また、以上の実施形態では、補助ベルト１９を使用したが、他の実施形態では、必ずしも補助ベルト１９は必要ではない。
なお、以上は好ましい実施形態を説明するものであるが、本発明は、これら実施形態に限定されるものではなく、請求項に特定される概念、範囲に含まれる実施例、変形例を全て含むものとする。
【図面の簡単な説明】
【００３６】
【図１】（Ａ）は、この発明の一実施形態を示すウエットスーツの全体図で、（Ｂ）は（Ａ）のＢ部分の縦断面図である。
【図２】図１のウエットスーツの着衣方法の始めの部分を示す説明図で、（Ａ）は正面図、（Ｂ）は縦断面側面図である。
【図３】図１のウエットスーツの着衣方法の中ほど部分を示す説明図で、（Ａ）は正面図、（Ｂ）は縦断面側面図である。
【図４】図１のウエットスーツの着衣方法の終わりの部分を示す説明図で、（Ａ）は正面図、（Ｂ）は縦断面側面図である。
【図５】図１のウエットスーツの上衣の脱衣方法を示す説明図で、（Ａ）は正面図、（Ｂ）は縦断面側面図である。
【図６】（Ａ１）（Ａ２）（Ａ３）は各々ウエットスーツを構成する上衣の他の実施形態を示す図、（Ｂ１）（Ｂ２）は各々ウエットスーツを構成するズボンの他の実施形態を示す図である。
【図７】（あ）は、従来のツーピース型のウエットスーツを示す全体図、（い）は、（あ）のウエットスーツの着衣方法を（Ａ）（Ｂ）（Ｃ）の順に示す説明図、（う）は、（い）（Ｃ）の断面の拡大図である。
【符号の説明】
【００３７】
１…ウエットスーツ、３…上衣、５…ズボン、７…胴部、９…第１帯状部分、１１…裾、１３…第２帯状部分、１５…腰椎部、１９…補助ベルト。
【図１】
2005154910.tif 000003
【図２】
2005154910.tif 000004
【図３】
2005154910.tif 000005
【図４】
2005154910.tif 000006
【図５】
2005154910.tif 000007
【図６】
2005154910.tif 000008
【図７】
2005154910.tif 000009